(57)【特許請求の範囲】
【請求項１】
絶縁電線の絶縁被覆が部分的に除去されて、一時的に接地線が取り付けられた箇所を修復するための接地線取付箇所用防護カバーであって、
所定の弾力性を有する絶縁シートが円筒状に重ね巻されて形成され、
前記重ね巻の巻き始め部は、前記接地線取付箇所用防護カバーの一方の端部にあり、
前記重ね巻の巻き終わり部は、前記接地線取付箇所用防護カバーの他方の端部にあり、
前記重ね巻の巻き始め部から前記絶縁被覆が部分的に除去された電線部の円周面を覆い終わるまでの長さ以内に、前記電線部の円周面に密着する複数の電線嵌合リブを有し、
前記重ね巻の巻き終わり部は、頂部に向かって漸次肉厚となる山形のリブ形状を有し、
前記リブ形状を有する前記重ね巻の巻き終わり部から、前記重ね巻の巻き始め部を起点として前記絶縁被覆が部分的に除去された電線部の円周面を一周する部分に向かって鋸状のボスを有することを特徴とする接地線取付箇所用防護カバー。
【請求項２】
絶縁電線の絶縁被覆が部分的に除去されて、一時的に接地線が取り付けられた箇所を修復するための接地線取付箇所用防護カバーの取付方法であって、
前記接地線取付箇所用防護カバーには、請求項１に記載の重ね巻された接地線取付箇所用防護カバーが適用され、
絶縁電線の絶縁被覆が除去された電線部に、前記接地線取付箇所用防護カバーのリブ形状をした重ね巻の巻き終わり部を押し付けるステップと、
前記接地線取付箇所用防護カバーを前記絶縁電線の絶縁被覆が除去された部分に押し付けながら回転を加え重ね巻を開放するステップと、
前記接地線取付箇所用防護カバーの重ね巻の巻き始め部から前記絶縁被覆が部分的に除去された電線部の円周面を覆い終わるまでの長さ以内に形成された複数の電線嵌合リブが前記電線部の円周面に密着するステップと、
を含むことを特徴とする接地線取付箇所用防護カバーの取付方法。
【発明の詳細な説明】
【技術分野】
【０００１】
本発明は、絶縁電線の絶縁被覆が部分的に除去された箇所を再度絶縁処理する防護カバーに係り、詳しくは、絶縁被覆が部分的に除去されて一時的に接地線が取り付けられた箇所を修復するための、接地線取付箇所用防護カバー及びその取付方法に関する。
【背景技術】
【０００２】
図４は従来の接地線取付箇所用防護カバーの構造図である。図４ｂは、渦巻状に丸められた従来の接地線取付箇所用防護カバー２００の長手方向の断面図を示し、内部には、複数の電線嵌合リブ２０を有している。図４ａは、図４ｂに示されるＸ−Ｘ切断線による断面を示すＸ−Ｘ断面図であり、重ね巻の巻き始め部１０、複数の電線嵌合リブ２０、及びカバー先端部６０の位置関係が示されている。
【０００３】
図５は、従来の接地線取付箇所用防護カバーの取付作業を示す取付作業工程図である。図５ａにおいて、従来の接地線取付箇所用防護カバー２００の取り付け作業は、活線作業に使用する高圧手袋７０を装着し、予め渦巻状に丸められたカバー先端部６０を指で押し広げながら、絶縁電線の絶縁被覆が除去され接地線が接続されていた電線部５０に差し込む。
【０００４】
図５ｂにおいて、カバー先端部６０を指で押し広げ電線部５０に差し込んだ後（矢印３）、さらに防護カバー２００を解きほぐしながら電線部５０に巻きつける（矢印４）。このように、高圧手袋７０を装着しての作業では指先がフィットせず、冬場の寒い時期には防護カバー２００が硬くなるため、解きほぐしが難しく、電線部５０への取り付けが困難であった。また、巻きつけ作業の際、電線部５０に対し大きく広げなければならないため永久歪みが発生し、防護カバー２００が元に戻り難く締め付け力が減少し、移動防止のために設けてある複数の電線嵌合リブ２０が電線部５０に密着せず、防護カバー２００の移動が発生する懸念があった。
【０００５】
特許文献１には、絶縁電線カバー装置１０は、ジャンパ線１の回りに弾力を有する絶縁シートを周方向３９に重複するようにして絶縁筒状体３０を形成し、重複部分３１に仮留め機能を有すると共に、重複部分３１に絶縁性接着剤を施し、仮留め構造３５は、重複部分３１の外側絶縁シート３３の内面に絶縁筒状体３０の長手方向に延びる凹部２３を形成し、重複部分３１の内側絶縁シート３２の外面に絶縁筒状体３０の長手方向に延びる凸部２４を形成し、凹部２３と凸部２４とで嵌め込み可能なものの記載がある。
【先行技術文献】
【特許文献】
【０００６】
【特許文献１】特開２００７−１４１２３号公報
【発明の概要】
【発明が解決しようとする課題】
【０００７】
本発明は、このような問題を解決するためになされたものであり、その目的は、絶縁電線の絶縁被覆が部分的に除去された部分への位置決めが容易であり、且つ、防護カバーの解きほぐしが簡単で永久歪みが発生せず、容易に絶縁電線に巻きつけることができる接地線取付箇所用防護カバー及びその取付方法を提供する。
【課題を解決するための手段】
【０００８】
本発明の接地線取付箇所用防護カバーは、絶縁電線の絶縁被覆が部分的に除去されて、一時的に接地線が取り付けられた箇所を修復するための接地線取付箇所用防護カバーであって、所定の弾力性を有する絶縁シートが円筒状に重ね巻されて形成され、前記重ね巻の巻き始め部は、前記接地線取付箇所用防護カバーの一方の端部にあり、前記重ね巻の巻き終わり部は、前記接地線取付箇所用防護カバーの他方の端部にあり、前記重ね巻の巻き始め部から前記絶縁被覆が部分的に除去された電線部の円周面を覆い終わるまでの長さ以内に、前記電線部の円周面に密着する複数の電線嵌合リブを有し、前記重ね巻の巻き終わり部は、頂部に向かって漸次肉厚となる山形のリブ形状を有し、前記リブ形状を有する前記重ね巻の巻き終わり部から、前記重ね巻の巻き始め部を起点として前記絶縁被覆が部分的に除去された電線部の円周面を一周する部分に向かって鋸状のボスを有することを特徴とする。
【０００９】
本発明の接地線取付箇所用防護カバーの取付方法は、絶縁電線の絶縁被覆が部分的に除去されて、一時的に接地線が取り付けられた箇所を修復するための接地線取付箇所用防護カバーの取付方法であって、接地線取付箇所用防護カバーには、請求項１に記載の重ね巻された接地線取付箇所用防護カバーが適用され、絶縁電線の絶縁被覆が除去された電線部に、接地線取付箇所用防護カバーのリブ形状をした重ね巻の巻き終わり部を押し付けるステップと、接地線取付箇所用防護カバーを絶縁電線の絶縁被覆が除去された電線部に押し付けながら回転を加え重ね巻を開放するステップと、接地線取付箇所用防護カバーの重ね巻の巻き始め部から絶縁被覆が部分的に除去された電線部の円周面を覆い終わるまでの長さ以内に形成された複数の電線嵌合リブが電線部の円周面に密着するステップと、を含むことを特徴とする。
【発明の効果】
【００１０】
本発明によれば、絶縁電線の絶縁被覆が部分的に除去された部分への位置決めが容易であり、且つ、防護カバーの解きほぐしが簡単で永久歪みが発生せず、容易に絶縁電線に巻きつけることができる接地線取付箇所用防護カバー及びその取付方法を提供することができる。これにより、高圧手袋を装着した冬場の作業が容易となり、且つ、防護カバーの移動が発生する恐れが無くなる。
【図面の簡単な説明】
【００１１】
【図１】本発明による接地線取付箇所用防護カバーの構造図。
【図２】本願発明の接地線取付箇所用防護カバーの鋸状のボスを示す構造図。
【図３】本願発明の接地線取付箇所用防護カバーの取付作業を示す取付作業工程図。
【図４】従来の接地線取付箇所用防護カバーの構造図。
【図５】従来の接地線取付箇所用防護カバーの取付作業を示す取付作業工程図。
【発明を実施するための形態】
【実施例１】
【００１２】
本発明の実施の形態について、図を用いて説明する。図１は、本発明による接地線取付箇所用防護カバーの構造図である。図１ｂは、所定の弾力を有する絶縁シートが円筒状に重ね巻された接地線取付箇所用防護カバー１００の長手方向の断面図を示している。接地線取付箇所用防護カバー１００の内部には、図５ａに示される絶縁電線の絶縁被覆が部分的に除去された電線部５０の円周面を覆い終わるまでの長さ以内に、電線部５０の円周面に密着する複数の電線嵌合リブ２０を有している。
【００１３】
図１ａは、図１ｂに示されるＸ−Ｘ切断線による断面を示すＸ−Ｘ断面図であり、所定の弾力を有する絶縁シートが円筒状に重ね巻された重ね巻の巻き始め部１０、複数の電線嵌合リブ２０、電線部５０への巻き付けを容易にする鋸状のボス４０、及びリブ形状の重ね巻の巻き終わり部３０の位置関係が示されている。
【００１４】
図２は、本願発明の接地線取付箇所用防護カバーが有する電線部への巻き付けを容易にする鋸状のボスを示す構造図である。図２ａにおいて、接地線取付箇所用防護カバー１００は、リブ形状を有する重ね巻の巻き終わり部３０から、図５ａに示される絶縁被覆が部分的に除去された電線部５０の円周面を一周する長さ以内に鋸状のボス４０を有している。図２ｂは、鋸状のボス４０の形状を示すボスの拡大図である。このボスの鋸形状により、電線部５０の円周面でのすべりを最小限とすることができるため、防護カバー１００を容易に電線部５０に巻きつけることができ、防護カバー１００の移動が発生する恐れが無くなる。
【００１５】
図３は、本発明の接地線取付箇所用防護カバーの取付作業を示す取付作業工程図である。図３ａは、絶縁電線の絶縁被覆が除去された電線部５０に、接地線取付箇所用防護カバー１００のリブ形状をした重ね巻の巻き終わり部１０を押し付けるステップを示している。重ね巻の巻き終わり部１０のリブの端部を、絶縁電線の絶縁被覆が部分的に除去されて、一時的に接地線が取り付けられた箇所である電線部５０に引っ掛け、電線部５０に対して下向きに４５°程度の角度で押し付ける。リブの形状効果により、重ね巻の巻き終わり部１０を電線部５０に容易に位置決めし引っ掛けて押し付けることができる。
【００１６】
図３ｂは、接地線取付箇所用防護カバー１００を絶縁電線の絶縁被覆が除去された電線部５０に押し付けながら回転を加え、重ね巻を開放するステップを示している。防護カバー１００を電線部５０に押し付けながら矢印１の方向に回転させて、重ね巻を開放する。重ね巻の巻き終わり部１０のリブが電線部５０を確実に捉えているため、防護カバー１００は容易に矢印１の方向に回転されて重ね巻が開放され、ボス４０が電線部５０に接触を始める。図３ｃでは、ボス４０がさらに電線部５０に接触し、電線部５０との摩擦力が増加するため、防護カバー１００を容易に電線部５０にまきつけることが可能となる。
【００１７】
図３ｄは、接地線取付箇所用防護カバー１００の重ね巻の巻き始め部１０から絶縁被覆が部分的に除去された電線部５０の円周面を覆い終わるまでの長さ以内に形成された複数の電線嵌合リブ２０が電線部５０の円周面に密着するステップを示している。防護カバー１００が電線部５０の円周面を一巡した段階では、重ね巻の巻残りは、電線嵌合リブ２０の部分だけとなるため、容易に解きほぐされる。この解きほぐされた電線嵌合リブ２０の残り部分は、重ね巻の巻き終わり部１０のリブが持ち上げられ、その下に滑り込まされることにより、防護カバー１００の取り付けが完了する。
【００１８】
以上説明したように本発明によれば、絶縁電線の絶縁被覆が部分的に除去された部分への位置決めが容易であり、且つ、防護カバーの解きほぐしが簡単で永久歪みが発生せず、容易に絶縁電線に巻きつけることができる接地線取付箇所用防護カバー及びその取付方法を提供することができる。これにより、重ね巻の巻き終わり部１０のリブにより位置決めし、ボス４０の摩擦力により、容易に防護カバー１００を回転させて巻きつけることができるため、電線部５０に対して最小ほぐし量でまきつけることが可能となる。このため、高圧手袋を装着した冬場の作業が容易となり、且つ、防護カバーの移動が発生する恐れが無くなる。
【符号の説明】
【００１９】
１０  重ね巻の巻き始め部
２０  電線嵌合リブ
３０  重ね巻の巻き終わり部
４０  鋸状のボス  
５０  電線部
６０  カバー先端部
７０  高圧手袋
１００  本発明による接地線取付箇所用防護カバー
２００  従来の接地線取付箇所用防護カバー
【図１】
0005479840.tif 000002
【図２】
0005479840.tif 000003
【図３】
0005479840.tif 000004
【図４】
0005479840.tif 000005
【図５】
0005479840.tif 000006